(57)【要約】本発明は、注射器およびその使用方法に関するものである。上記注射器は、２つの主要部を備えており、第１主要部すなわちシリンダーは一端で座面を形成し、第２主要部すなわち軸棒はプッシュ要素を備え、上記シリンダーに挿入される。この注射器は、片手だけで用いることができ、手の指の位置を変更することによって、吸引および排出の両方の注射行為を行うことができる。
2004516909.tif 000002
【特許請求の範囲】
【請求項１】
液体の吸引および／または排出開口部（１１）が配されている前端部（１０ａ）および第２開口端部すなわち出入口部（１０ｂ）を備える、シリンダー形状の第１主要部（１０）と、
前端部にピストン（２１ａ）を備え、前記シリンダー（１０）の出入口部（１０ｂ）からそのシリンダー（１０）内に挿入される第１部材すなわちピストン棒（２１）からなり、前端部（２２ａ）および後端部（２２ｂ）を有する第２部材すなわちプッシュ部（２２）を備える第２主要部（２０）とから形成されており、
第２主要部（２０）は、ピストン棒（２１）のピストン（２１ａ）がシリンダー（１０）の前端部（１０ａ）に近接する位置にある第１ポジションと、このピストン棒（２１）のピストン（２１ａ）がシリンダー（１０）の前端部（１０ａ）から離れた位置にある第２ポジションとの間で移動することができ、
前記開口部（１１）から液体を吸引するためには、第２主要部（２０）が第１ポジションから第２ポジションに移動し、前記開口部（１１）から液体を排出するためには、第２主要部（２０）が第２ポジションから第１ポジションに移動し、
前記プッシュ部（２２）の後端部（２２ｂ）では、第２主要部（２０）が第２ポジションから第１ポジションに移動するように、第１軸方向に力が及ぼされる第１扶持面（２３ａ）を形成しており、
前記シリンダー（１０）は、そのシリンダーの横に突出し、シリンダー（１０）と一体に形成された中央扶持面（１２）を、その緩衝部（１０ｂ）に備え、
前記中央扶持面（１２）は、その後方面で第２扶持面（１２ａ）を構成し、その前方面で、第２主要部（２０）が第２ポジションから第１ポジションに移動するように、第１軸方向とは反対方向である第２軸方向に力が及ぼされる第３扶持面（２３ｂ）を構成している注射器であって、
前記第２主要部（２０）のプッシュ部（２２）は、連結リンク（２８、２９）によって第２主要部（２０）のピストン棒（２１）に接合され、かつ第１扶持面（２３ａ）によってプッシュ部の後端部（２２ｂ）で接合された２つの細長い構成部材（２４、２５）を備え、ピストン棒（２１）の緩衝部（２１ｂ）、中央扶持面（１２）、細長い構成部材（２４、２５）および第１扶持面（２３ａ）によって境界が定められた間隙部（２６）を設けていることと、
前記第２主要部（２０）のプッシュ部（２２）は、その前端部（２２ａ）で、第２主要部を第１ポジションから第２ポジションに移動させるように、第１軸方向とは反対方向である第２軸方向に力が及ぼされる第４扶持面（２７ａ、２７ｂ）を形成していることと、
前記シリンダー（１０）は、その出入口部（１０ｂ）において、出入口部（１０ｂ）からシリンダー（１０）の前端部（１０ａ）の方に向かって、第１ポジション時にピストン棒の緩衝部（２１ｂ）によって占有される位置まで伸びている少なくとも２つの縦溝（１３、１４）を備えていることと、
第２主要部（２０）のプッシュ部（２２）の細長い構成部材（２４、２５）は、前記縦溝（１３、１４）に収納される連結リンク（２８、２９）によって、第２主要部（２０）のピストン棒（２１）の緩衝部（２１ｂ）に接合されていることとを特徴とする注射器。
【請求項２】
第２主要部（２０）が第１ポジションにある場合、この位置において、第１主要部（１０）の出入口部（１０ｂ）と、中央扶持面（１２）と、側面の細長い構成部材（２４、２５）と、細長い構成部材（２４、２５）の後端部にて細長い部材を接合する第１扶持面（２３ａ）とによって境界が定められた前記間隙部（２６）は、ユーザの親指をこの間隙部（２６）に挿入できるぐらい十分な大きさであることを特徴とする請求項１に記載の注射器。
【請求項３】
第２主要部（２０）が第１ポジションにある場合、ピストン棒（２１）の緩衝部（２１ｂ）は、第１ポジションと第２ポジションとの間で第２主要部（２０）が動く範囲に応じた、シリンダー（１０）の出入口部（１０ｂ）からの距離に配置されることを特徴とする前記請求項のいずれかに記載の注射器。
【請求項４】
第２主要部（２０）が第２ポジションにある場合、第２主要部（２０）のピストン棒（２１）の緩衝部（２１ｂ）は、シリンダー（１０）の出入口部（１０ｂ）と同じ高さに配置されることを特徴とする前記請求項のいずれかに記載の注射器。
【請求項５】
前記扶持要素（１２）は、軸方向に、第２主要部（２０）のピストン棒（２１）と、連結リンク（２８、２９）と、第４扶持面（２７ａ、２７ｂ）と、細長い構成部材（２４、２５）の一部とが通ることができるように形成された貫通開口部（１５）を備えていることを特徴とする前記請求項のいずれかに記載の注射器。
【請求項６】
前記扶持要素（１２）の貫通開口部（１５）は、所定位置に細長い構成部材（２４、２５）を保持する役割を果す、側面扶持縁（１５ａ）を備えていることを特徴とする前記請求項のいずれかに記載の注射器。
【請求項７】
前記溝（１３、１４）は、シリンダー（１０）の出入口部（１０ｂ）から、ピストン棒（２１）のピストン（２１ａ）が開口部（１１）と接して配されている場合に、前記連結リンク（２８、２９）が占有する位置まで伸びていることを特徴とする前記請求項のいずれかに記載の注射器。
【請求項８】
前記細長い構成部材（２４、２５）の端部（２２ａ）に接合された２つの柄（３０、３１）を備え、無関係ないくつかの部材が溝（１３、１４）に入ることと、連結リンク（２８、２９）がそれら溝（１３、１４）に沿って動くこととを防ぐことを特徴とする請求項７に記載の注射器。
【請求項９】
第２主要部（２０）が第２ポジションにある場合、第３扶持面（２３ｂ）とこの第２主要部（２０）のプッシュ部（２２）の前端部（２２ａ）との間の距離は、第２主要部（２０）のプッシュ部（２２）の前端部（２２ａ）と第３扶持面（２３ｂ）との間で、ユーザが注射器の各側面に１本の指を配置することができるような距離であることを特徴とする前記請求項のいずれかに記載の注射器。
【請求項１０】
第４扶持面（２７ａ、２７ｂ）は、２つの側面フランジ（２４ａ、２５ａ）からなり、各側面フランジ（２４ａ、２５ａ）の一方が、細長い構成部材（２４、２５）のうちの１方の先端に配されていることを特徴とする前記請求項のいずれかに記載の注射器。
【請求項１１】
片手だけで用いられることを特徴とする前記請求項のいずれかに記載の注射器。
【請求項１２】
前記シリンダー（１０）の前端部（１０ａ）に皮下注射針を接続するために、このシリンダー（１０）の前端部（１０ａ）に手段（１６）が備えられていることを特徴とする前記請求項のいずれかに記載の注射器。
【請求項１３】
前記第１主要部（１０）が、一体成形された部材であることを特徴とする前記請求項のいずれかに記載の注射器。
【請求項１４】
前記第２主要部（２０）が、一体成形された部材であることを特徴とする前記請求項のいずれかに記載の注射器。
【請求項１５】
前記プッシュ部（２２ａ）の前端部で細長い構成部材（２４、２５）の厚さは、注射器のシリンダー（１０）の直径に基づいて、厚くなったり薄くなったりすることを特徴とする請求項１に記載の注射器。
【請求項１６】
小さいシリンダー直径（１０）である注射器に関して、プッシュ部（２２ａ）の前端部での細長い構成部材（２４、２５）の厚さは、細長い構成部材（２４、２５）間での離隔幅によって境界が定められている開口部（２６）に、親指を挿入できるように、構成部材の厚さの中でより厚くなることを特徴とする請求項１５に記載の注射器。
【請求項１７】
大きなシリンダー直径（１０）である注射器に関して、プッシュ部（２２ａ）の前端部での細長い構成部材（２４、２５）の厚さは、細長い構成部材（２４、２５）間での離隔幅によって境界が定められている開口部（２６）に、親指を挿入できるように、構成部材の厚さの中でより薄くなる、または略等しくなることを特徴とする請求項１５に記載の注射器。
【請求項１８】
前記シリンダー（１０）の内部面において、ピストン棒（２１）がシリンダー（１０）から抜け出ることを防ぐために、シリンダー（１０）の出入口部（１０ｂ）に近接している、凹凸面の少なくとも１つのリングを備えていることを特徴とする前記請求項に記載の注射器。
【請求項１９】
前記請求項のいずれかに記載の注射器によって、液体を吸引および排出するための方法であって、
ａ）液体を吸引する行為は、
ａ１）液体の液接触域にシリンダー（１０）の開口部（１１）を配置させ、第２主要部（２０）のピストン棒（２１）を第１ポジションに位置させるステップ、
ａ２）中央扶持面（１２）と、細長い構成部材（２４、２５）と、第２主要部（２０）のプッシュ部（２２）の後端部（２２ｂ）に配された第１扶持面（２３ａ）とによって境界が定められた間隙部（２６）に親指を配置させるとともに、第４扶持面（２７ａ、２７ｂ）に同じ手の２本の指を配置させるステップ、
ａ３）第１軸方向（Ｃ）に、親指によって第２扶持面（１２ａ）に力が及ぼされるとともに、第２主要部（２０）を第１ポジション（図６）から第２ポジション（図７）に移動させるように、第１軸方向（Ｃ）とは反対の方向である第２軸方向（Ｄ）に、同じ手の２本の指によって第４扶持面（２７ａ、２７ｂ）に力が及ぼされるステップとを含み、
ｂ）液体を排出する行為は、
ｂ１）親指を第１扶持面（２３ａ）に配置し、同じ手の２本の指を第２扶持面（２３ｂ）に配置するステップ、
ｂ２）前記親指によって第１軸方向（Ｃ）に力が及ぼされ、第２主要部（２０）を第２ポジション（図７）から第１ポジション（図６）に移動させるように、第１軸方向（Ｃ）とは反対の方向である第２軸方向（Ｄ）に、前記２本の指によって力が及ぼされるステップとを含むことを特徴とする液体を吸引および排出するための方法。
【請求項２０】
請求項１８に記載の注射器によって、液体を吸引および排出するための方法であって、
注射器の最大吸引容量は、最大吸引終了時に緩衝部（２１ｂ）が、間隙部（２６）に挿入され、かつ第２扶持面（１２ａ）に配されている親指に接触することによって、容量範囲が定められることを特徴とする液体を吸引および排出するための方法。
【発明の詳細な説明】
（本発明の目的）
本発明は、注射器およびその使用方法に関するものである。その注射器は、主に保健分野において、他の処理の間に薬剤の注射液を投与したり、血液または体液を採取したりするために用いられる作業用器具である。また、本発明は、液体を取り扱うために注射器を用いることを必要とする他の分野（実験室、異なる種類の活性（ａｃｔｉｖｉｄａｄｅｓ）の製造所、または獣医）においても利用される。さらにまた、本発明は、注射器によって液体を吸い上げたり、放出したりする方法に関するものであって、その方法は片手だけで利用することができる。
【０００１】
（技術状況の記述）
技術状況において、多くの異なるタイプの注射器が、行われる作業タイプの各必要性に応じて用いられ、適応されている。また、用いられる分野および用途によっても様々な注射器がある。しかし、あらゆる分野において、従来からの注射器の取り扱いは共通し、一致している。
【０００２】
従来の注射器は、注射器が用いられる作業によって、より大きな安定度またはより小さな安定度での操作性が要求される。つまり、グラスから大量の水を吸引し、それから水をより小さな容器に分配するために注射器を用いる場合と、人から採血するために注射器を血管に刺す場合とでは、要求される注意および安定性が同様ではないからである。
【０００３】
また、従来からの注射器の主な欠点および問題点としては、それらを用いるためには両手を使うことが必要とされることである。
【０００４】
つまり、患者側の予期せぬ動きによって、注射針で患者または注射器のユーザを傷つけることが起こり得るので、両手がふさがれることは危険である。
【０００５】
上記した危険性を防ぐために、片手だけで注射器を用いることが可能な、種々の注射器や従来からの注射器用のアダプタがある。
【０００６】
米国特許番号３、８１９、０９１では、従来からの注射器用のアダプタについて記されている。そのアダプタは、片手だけを使って、注射器の吸引操作を容易に行うことができるハンドルにより構成されている。このアダプタでは、片手だけで注射器に安定した吸引を行うことについての問題点を解決するが、注射器およびアダプタ両方を製造しなければならないので、製造コストが増す。また、そのアダプタは、吸引することに対してのみ用いられ、さらに、特定の直径を有する注射器についてのみ用いられ得る。その事実から、注射または排出を目的とする場合、注射器が満たされると、注射器はアダプタから取り外され、従来からの注射器と同じように用いなければならない。
【０００７】
また、米国特許番号３、９９０、４４６では、片手だけで吸引できる注射器が記されている。しかし、この注射器は、両手を用いなければ液体の排出を行うことできない。また、この注射器は、従来の注射器よりも長くなる。なぜならば、吸引を行う場合、指を支えるために固定された面を有する必要があるからである。なお、その固定された面は、一定の距離にて配されており、ピストンの後端部に配された側面扶持部が、その固定された面に沿って移動しなればならない。
【０００８】
また、米国特許番号５、１３５、５１１では、片手だけで吸引のみを可能とする従来の注射器用アダプタが記されている。従来の注射器を構成する２つの構成部材に加えて、このアダプタも２つの構成部材からなる。したがって、その組み立てられた一式は複雑なものとなる。また、このアダプタの使用は、構成部材の数がより多くなるので使用時に、より多くの故障が生じ得る。
【０００９】
また、米国特許番号５、５８２、５９５に開示された注射器は、上記した注射器やアダプタとは異なり、片手によって吸引および排出の両方に用いることができる。この注射器の主な問題は、それを組み立てることにあり、その注射器の使用において失敗を招来する虞がある。つまり、この注射器はシリンダーおよびピストンの２つの主要部からなり、シリンダーはその後方部に向かって結合面と共に伸張するように２つのピストン棒を備え、ピストンは、その端部に２つの扶持面を備えている。そして、この注射器を組み立てるためには、ピストンは注射器の後部に差し込まれる必要があり、したがって、シリンダーの後端の既存面は１つのピストン棒に対して回転可能でなければならないということから問題が生じる。つまり、このことから製品の製造工程およびその製品の組み立てに、より多くのコストがかかる。また、この注射器を使う人は、回転面が吸引時に外れるかもしれないので、より慎重に注意して取り扱わなければならない。また、この注射器では、そのピストンは、従来の注射器のピストンと類似している。すなわち、ピストンが、シリンダーにおいて可動する唯一の構成要素であって、ピストン棒は、シリンダーに結合されているので固定されたままである。
【００１０】
この型の注射器の最大の欠点は、使用時において、針を制御することが困難となることである。つまり、この型の注射器を使用するのに必要となる力は、従来の注射器に比べてその針からかなり離れた位置で加えられるからである。
【００１１】
本発明が目的とする注射器によって、上記した注射器の欠点は解消される。つまり、本発明の注射器は自然な状態で指を曲げることによって、いかなる時でも、快適に、安定し安全な力で、注射器の動きおよび針を制御しながら、非常に簡単に吸引および排出を行うことができるからである。また、片手だけで用いることができ、容易に素早く組み立てられる２つの独立した主要部を備えている注射器を、以下に述べる注射器と同じくらい簡単に製造できるものは引用した関連資料には見当たらない。
【００１２】
（説明）
本発明は、通常の手段によって液体を吸引および排出する、注射器およびその方法であって、特有の構成を備えている。その構成によって、注射器を片手だけで用いることができ、また、安定した取り扱いが可能となる。つまり、液体の吸引および排出の２つの操作は、指によって圧する、または指を曲げることと同様の作用によって行うことができる。一方、従来からの注射器では、吸引時、片手だけで取り扱うと、注射器のユーザまたは患者を刺したり傷つけたりする虞があるので両手で用いられなければならない。
【００１３】
また、片手だけで注射器を扱うために、従来からの注射器とは異なる構造的修正がなされているが、使用および製造の容易性は維持されている。
【００１４】
本注射器は、２つの主要部すなわち構成要素を備えている。その１つはシリンダー形状であって、一端で液体の吸引および／または排出開口部と、対向する端（ｅｌ ｅｘｔｒｅｍｏ ｃｏｎｔｒａｒｉｏ）で開口している２つの側面の縦溝（ｒａｎｕｒａｓ ｌｏｎｇｉｔｕｄｉｎａｌｅｓ ｌａｔｅｒａｌｅｓ）と、後方部材すなわち第２扶持面およびもう一方の前方部材すなわち第３扶持面を備える中央扶持面とを有し、シリンダーの横に配された中央孔（ｈｕｅｃｏ ｃｅｎｔｒａｌ）を備えている。
【００１５】
また、第２主要部は、一端でピストンを有するピストン棒と、その反対端で２つの細長い（ａｌａｒｇａｄｏｓ）構成部材またはプッシュ部（ｅｍｐｕｊａｄｏｒｅｓ）を有する２つの結合リンク（ｎｅｘｏｓ ｄｅ ｕｎｉｏ’ｎ）とから構成される。先端（シリンダーに向かって挿入される端）方向に伸びる側において、細長い構成部材またはプッシュ部は、その部材に対して横軸方向にある２つの扶持面（第４扶持面）にて末端となる。一方、反対の端では、細長い構成部材またはプッシュ部は、共に他の扶持面（第１扶持面）によって連結されている。
【００１６】
細長い構成部材の厚さは、シリンダーの直径によってより厚かったり、またはより薄かったりする。シリンダーの直径が小さい注射器の場合、ピストン棒を覆う端での細長い構成部材の厚さは、ピストン棒の動きに対してより大きな安定性を与えるため、また後部間隙部（ａｂｅｒｔｕｒａ ｐｏｓｔｅｒｉｏｒ）に指が差し込めるように幅を広げるため、より厚くなる。大きな直径の注射器のこれら細長い構成部材では、その構成部材の中でより薄い厚さであるか、または同じぐらいの厚さとなる。
【００１７】
また、細長い構成部材の端と結合された２つの柄（ｌｅｎｇｕｅｅｔａｓ ｓｏｌｉｄａｒｉａｓ）を備え、無関係ないくつかの部材が、連結リンクが沿って動く溝に入らないようにする注射器を提供することができる。
【００１８】
この注射器を使用するためには、以下に記されるように特有の方法で片手の指を配置する必要がある。従来からの注射器と同じように、この注射器には、液体を吸引するための手先位置と、液体を排出するための手先位置との２つの手先位置がある。つまり、第１手先位置では、吸引のために、ピストンをシリンダーの開口部の近く、またはシリンダーの開口部に接する状態で準備をし、親指以外の２本の指を第４扶持面に配し、親指を第２扶持面に配置する。なお、親指は、第２扶持面と第１扶持面との間で区切られた窓（ｖｅｎｔａｎａ）に配されるようにして、第２扶持面に配置されている。一旦、指が配置されたら、指によって押す、または指を曲げる動作以外何も必要としない。このようにして、ピストンの動きに沿って２つの相反する力を生み出し、両方の主要部が関連して動き、液体を吸引するのである。
【００１９】
注射器のシリンダーの中の液体を排出するためには、吸引後、第２手先位置において、指の位置を変えねばならない。しかし、注射器を手放す必要も、もう一方の手を使う必要もないということに気づくであろう。つまり、このことを行うために、親指は第１扶持面に配され、他の２本の指は第３扶持面に据えられる。これらの位置に指を配置するとともに、指は、第１手先位置とは別の指によって押す、または指を曲げる動作を行う。このようにして、ピストンの動きに沿って２つの相反する力を生み出し、両方の主要部が関連して動き、液体を排出したり、注射したりする。
【００２０】
上記した構成によって、注射器を用いるために手、手首または注射器を変える必要はない。つまり、片手の３本の指を変化させるだけで、安全かつ安定した方法で液体の吸引および排出を連続した動作で十分に切り替えられる。
【００２１】
この注射器の操作が容易であるゆえに、いかなるトレーニングも必要なく容易に習得される。また、この注射器によって、２つの機能を素早く安全に行うことができる。つまり、誤操作によってユーザが患者を傷つけたり、またはユーザ自身を傷つけたりすることを防ぎ、制御不能な動きを抑制して２つの機能を行うことができる。すなわち、２つの動作において親指によって及ばされる力の方向は、シリンダー内のピストン棒およびピストンが動く軸方向と一致するので、吸引および排出を決定する動きは常に安定し、安全でかつ完全に制御される。
【００２２】
したがって、このような設計のおかげで、吸引ポジションから排出ポジションに、またはその逆にポジションを変える場合、２本の指位置を変えるために注射器を手放す必要も、もう一方の手で補助する必要も、手または注射器を変化させる必要もない。
【００２３】
また、指で押す動作または指を曲げる動作という２つの行為においては同じであり、ただ、指の位置を変化させることのみを伴うものであるので、吸引および排出時の制御は、安全で、安定した完全なものとなる。また、この注射器の取り扱い、習得を容易にすることにも寄与している。
【００２４】
したがって、安定し、制御された方法での片手だけによる使用は、針を使って液体を吸引する場合にユーザが不本意に刺したり、切ったりしないようにして、感染症の危険を避ける。
【００２５】
また、採血または液体を血管に注射する場合、この注射器は、片手だけしか必要としないので、もう一方の手の指は、血管が絶えず一定に位置するように使えるという利点を提供する。
【００２６】
本発明の目的である注射器の構成は、１つまたはいくつかの使用を伴う注射器に適用できるし、薬を処方した注射、採血、生検の穿刺などにおいて用いられてもよい。
【００２７】
（図面の説明）
注射器およびその手段によって液体を吸引および排出するための方法に関して理解を深めるために、７つの図面が本特許明細書に添付されている。つまり、その目的は、当該の発明が基づいている根拠のより深い理解と好ましい実施形態の説明の理解とを促すことである。また、図面は例示であって、それに制限されるものではないことを考慮に入れなければならない。
【００２８】
図１は、液体を吸収するのに好ましい本特許明細書の目的である注射器の正面図である。
【００２９】
図２は、既に吸収された液体を排出する状態にある注射器の正面図である。
【００３０】
図３は、下部主要部つまり第１主要部を上方からみた平面図である。
【００３１】
図４は、上記注射器の２つの部分の分解組み立て図である。
【００３２】
図５は、上記注射器の透視図である。
【００３３】
図６は、液体の吸収時に用いられる注射器を、その注射器のユーザの手の指位置となり得る第１手先位置にて示す正面図である。
【００３４】
図７は、液体の排出時に用いられる注射器を、その注射器のユーザの手の指位置となり得る第２手先位置にて示す正面図である。
【００３５】
（好ましい実施形態の説明）
注射器およびその使用方法である本発明は、従来からの注射器とは異なる構成要素からなる新規な装置を提供する。そして、その装置は、ユーザが片手だけで通常と同様に指の押す力または曲げる力によって、吸引または吸収、および排出の２つの基本的動作を行うことができるとともに、注射器の使用時に安定性を維持でき、容易に、安全に使用できる新しい構成要素を備える。
【００３６】
上記注射器は、２つの主要部、すなわち、各々が、単一部材にて形成され、それぞれ特定の構成部材を有している独立した構造体を備えていることが好ましい。第１主要部１０は、円柱状であり、液体の吸引および／または排出開口部１１を有する前端部１０ａおよび第２開口端部すなわち出入口部１０ｂを備える。また注射器の前端部１０ａでは、吸引および／または排出開口部１１とは別に、皮下注射針を前端部１０ａに接続する手段１６を備える。
【００３７】
第２主要部２０は、第１主要部１０の出入口部１０ｂから第１主要部すなわちシリンダー１０に挿入される、第１部材すなわちピストン棒２１からなる。ピストン棒２１は、注射器１１の開口部に近接しているその端部にてピストンを、それとは逆の端部にて緩衝部（ｔｏｐｅ）２１ｂを備える。第２主要部２０は、２つのポジションの間で移動することができる。つまり第１ポジション（図６）とは、ピストン２１ａがシリンダー１０の前端部１０ａに近接するポジションであり、第２ポジション（図７）とは、ピストン２１ａがシリンダー１０の前端部１０ａから離れたポジションである。したがって、開口部１１から液体を吸引するため、第２主要部材２０は、第１ポジションから第２ポジションに移動し、注射器にある液体を開口部１１から排出するため、第２主要部２０は、第２ポジションから第１ポジションに移動する。
【００３８】
また、上記注射器は、その２つの主要部１０と２０との間で割り当てられた、操作用の４つの基本扶持面を備える。
【００３９】
また、第２主要部２０は、既に述べた上記主要部２０の一方の端部に配されているピストン棒２１と、第２部分すなわちプッシュ部２２との２つ部分に分けられる。上記プッシュ部２２は、２つの細長い構成部材２４、２５を備えており、それらの後端部２２ｂで第１扶持面２３ａと接合している。また、第２主要部は、プッシュ部２２を第１軸方向Ｃに向けて圧することによって、第２ポジションから第１ポジションに移動する。
【００４０】
上記シリンダー１０は、その出入口部１０ｂで、扶持要素すなわち中央扶持面１２を備えている。上記中央扶持面１２は、シリンダーの横に突出しており、シリンダー１０と一体部分を構成する。この扶持要素１２は、扶持要素１２の後方側に形成された第２扶持面１２ａおよび扶持要素１２の前面領域に形成された第３扶持面２３ｂから構成される。この第３扶持要素２３ｂにおいて、第１軸方向Ｃとは反対の軸方向Ｄに向けて加圧され、第２主要部２０を第２ポジションから第１ポジションに移動させる。
【００４１】
第２主要部２０のプッシュ部２２は、その前端部２２ａにおいて、２つの第４扶持面２７ａ、２７ｂを備える。第４扶持面２７ａ、２７ｂは、２つの側面フランジ２４ａ、２５ａからなり、各側面フランジ２４ａ、２５ａの一方は、細長い構成部材２４、２５のうちの１方の先端に配されている。そして、側面フランジ２４ａ、２５ａにおいて第１軸方向とは反対である第２軸方向に向けて圧することで、第２主要部２０を第１ポジションから第２ポジションに移動させることができる。
【００４２】
また、細長い構成部材２４、２５の厚さは、注射器の直径に応じてより大きくなったり、またはより小さくなったりしてもよい。小さな直径を有するシリンダー１０の注射器の場合、ピストン棒を覆う前端部２２ａでの上記細長い構成部材２４、２５の厚さは、ピストン棒の本体２１の動きに対して、より大きな安定性を与えるために、さらにまた、指を挿入するように間隙部（ａｂｅｒｔｕｒａ）２６の幅を広くするためにより厚くなる。また、大きな直径の注射器の前端部２２ａでのこれら細長い構成部材２４、２５は、これらの細長い構成部材の中でより薄い厚さ、または略同じ厚さとなる。
【００４３】
さらにまた、無関係ないくつかの部材が、連結リンク２８、２９が沿って動く溝１３、１４に入らないようにするために、細長い構成部材２４、２５の端部に接合された２つの柄３０、３１を備える注射器を提供することができる。
【００４４】
吸引時のピストンの動きと同じ方向に、力を及ぼすことができるようにするため、注射器は第２主要部２０において窓すなわち間隙部２６を備えている。なお、第２主要部２０が第１ポジションにある場合、この間隙部２６は、ユーザの指が挿入できるぐらいの十分な大きさである。また、このポジションにおいて、間隙部２６は、液体を吸引する前に、シリンダー１０の出入口部１０ｂで、側面の細長い構成部材２４、２５によって境界が定められている。側面の細長い構成部材２４、２５は、連結リンク２８、２９によって第２主要部２０のピストン棒２１に接合され、同様に、第１扶持面２３ａによって第２主要部２０の後端部２２ｂで接合される。吸引時、この間隙すなわち窓２６は、第２ポジションにおいてそのサイズが大きくなり最大となる。その際、この間隙部２６は、ピストン棒２１の緩衝部２１ｂと、細長い構成部材２４、２５と、後端部２２ｂでこの細長い構成部材２４、２５を接合する第１扶持面２３ａとによってその境界が区切られている。
【００４５】
第２主要部２０が、第１主要部１０と関連して動くことができるようにするために、第１主要部１０は、その出入口部１０ｂにおいて、この出入口部１０ｂからシリンダーの前端部１０ａの方に伸びた少なくとも２つの縦溝１３、１４を備えている。これら縦溝１３、１４において、プッシュ部２２の細長い構成部材２４、２５およびピストン棒２１の緩衝部２１ｂを接合する連結リンク２８、２９が収納される。ピストン棒２１のピストン２１ａが第１ポジションに配される、すなわち、開口部１１に接する場合、この溝１３、１４は、シリンダー１０の出入口部１０ｂから、連結リンク２８、２９が占有している場所まで伸びる。
【００４６】
第２主要部２０が第１ポジションにある場合、すなわち、液体の吸引または吸収の準備がなされている場合、ピストン棒２１の緩衝部２１ｂは、シリンダー１０の出入口部１０ｂから少し離れた距離のところに配される。なお、この距離は、第１ポジションと第２ポジションとの間での第２主要部２０の移動範囲に一致する。吸引が終了し、かつ液体の放出前、すなわち第２主要部２０が第２ポジションにあるとピストン棒２１の緩衝部２１ｂは、シリンダー１０の出入口部１０ｂと同じ高さに位置する。
【００４７】
中央扶持面としての機能を果す、上述した扶持要素１２は、軸方向にピストン軸２１と、連結リンク２８、２９と、第４扶持面２７ａ、２７ｂと、細長い構成部材２４、２５の一部分とが通ることができるように形成された貫通開口部（ｏｒｉｆｉｃｉｏ ｐａｓａｎｔｅ）１５を備える。この貫通開口部１５は、所定位置に細長い構成部材２４、２５を保持する役割を果す、側面扶持縁１５ａを備えている。
【００４８】
ここで、第２ポジションから第１ポジションに変えるために、すなわち、注射器の中の液体を排出する前に、指を第３扶持面２３ｂに配置する必要がある。したがって、この扶持面２３ｂとプッシュ部２２の前端部２２ａとの間の距離は、ユーザが注射器の各側面に、１本の指を置くことができる長さとなっている。
【００４９】
この注射器には、血管部分に対して必要ならば、片手の指で血管の位置を保持し、もう一方の手でこの注射器を用いて、薬剤を排出または挿入できることのみならず、同様に血液を吸引または排出できるといった特別な用途がある。
【００５０】
液体の吸引用にこの注射器を用いるためには、その液体の液接触域（ｃｏｎｔａｃｔｏ ｆｌｕｉｄｏ）に第１主要部１０の開口部１１を配置させ、ピストン棒２１を第１ポジションに配置させる必要がある。そして、このように配置しておいて、手の指を注射器の異なる面に置かなければならない。すなわち、ピストン棒２１の緩衝部２１ｂと、細長い構成部材２４、２５と、第１扶持面２３ａとによって、プッシュ部材２２の後端部２２ｂで境界が区切られている間隙部２６に親指を配するとともに、同じ手の２本の指を第４扶持面２７ａ、２７ｂに配置しなければならない。また、この注射器を用いて、液体を吸引しつづけるためには、親指によって第１軸方向Ｃに向かって第２扶持面１２ａに力を及ぼすとともに、第２主要部２２を第１ポジションから第２ポジションに移動させるために、同じ手の２本の指によって、第１軸方向Ｃとは反対方向である第２軸方向Ｄに向かって第４扶持面２７ａ、２７ｂに力を及ぼす必要がある。
【００５１】
この動作において、ピストン棒２１の緩衝部２１ｂは、注射器の最大許容量以上に注射器に負荷をかけないようにするために用いられる。つまり、吸引動作終了時に、この緩衝部２１ｂは、間隙部２６に挿入され、第２扶持面１２ａに配置されている親指と接触するようになる。
【００５２】
シリンダー１０からピストン棒２１が抜け出ることを防ぐこの手段に加えて、さらに、シリンダー１０からピストン棒２１が抜け出にくくすることを目的として、
シリンダーの内部表面に、凹凸面のリング１７がシリンダー１０の出入口部１０ｂに近接する位置に備えられる。
【００５３】
以前に注射器の中に挿入された液体を排出するために、親指を第１扶持面２３ａに、同じ手の２本の指を第３扶持面２３ｂにそれぞれ配置する必要がある。これらの指が注射器に配置され、開口部１１が注射器の内容物を受けるための容器またはテストチューブの上に配置されると、親指は第１軸方向に力を及ぼし、他の２本の指は、第２主要部２２を第２ポジションから第１ポジションに移行させるために、第１軸方向とは反対の方向である第２軸方向に力を及ぼす。
【００５４】
また、片手だけで、上記した動作を安定して、安全に、容易な方法で行うためには、注射器は特有の、特徴的な構成を備える必要がある。つまり、その注射器の構成は、手の指の注射器に及ぼす力によって、適用される力の方向がピストンの動きの方向と同じ方向となるように実行することができる。なお、このピストンの動きの方向は、吸引または排出のどちらが行われるかによってある方向またはそれとは別の方向となる。
【００５５】
本質的な性質の範囲内において、本発明は、例示手段としてここで単に示したものとは細部のみが異なる他の実施形態で実行してもよい。また、本発明は、その特許請求の範囲に含まれる限り、最も適切な手段および材質と共に、ならびに最も好適な付属品と共に任意の形状および寸法にて実施されてもよく、その構成要素は技術的に等価な他の構成要素と置き換えられてもよい。
【図面の簡単な説明】
【図１】
液体を吸収するのに好ましい本特許明細書の目的である注射器の正面図である。
【図２】
既に吸収された液体を排出する状態にある注射器の正面図である。
【図３】
下部主要部つまり第１主要部を上方からみた平面図である。
【図４】
上記注射器の２つの部分の分解組み立て図である。
【図５】
上記注射器の透視図である。
【図６】
液体の吸収時に用いられる注射器を、その注射器のユーザの手の指位置となり得る第１手先位置にて示す正面図である。
【図７】
液体の排出時に用いられる注射器を、その注射器のユーザの手の指位置となり得る第２手先位置にて示す正面図である。
【国際公開パンフレット】
2004516909.tif 000003
2004516909.tif 000004
2004516909.tif 000005
2004516909.tif 000006
2004516909.tif 000007
2004516909.tif 000008
2004516909.tif 000009
2004516909.tif 000010
2004516909.tif 000011
2004516909.tif 000012
2004516909.tif 000013
2004516909.tif 000014
2004516909.tif 000015
2004516909.tif 000016
2004516909.tif 000017
2004516909.tif 000018
2004516909.tif 000019
2004516909.tif 000020
2004516909.tif 000021
2004516909.tif 000022
2004516909.tif 000023
2004516909.tif 000024
2004516909.tif 000025
2004516909.tif 000026
【国際調査報告】
2004516909.tif 000027
2004516909.tif 000028
2004516909.tif 000029
2004516909.tif 000030
2004516909.tif 000031
2004516909.tif 000032